(57)【要約】【課題】システムが起動されていなくても外部機器と通信を行うコントローラに駆動電力の供給／非供給を切り替えること。【解決手段】外部機器と通信を行うコントローラ４，１１０，１１５と、前記システムが起動されていない状態で前記外部機器からの要求があった場合にシステムを起動するＥＣ／ＫＢＣ１１６と、コントローラを駆動するための駆動電力を生成し、当該駆動電力をコントローラに供給する電源コントローラ１２５と、キーボード１３のユーザの操作に応じた信号を出力するＥＣ／ＫＢＣ１１６と、システムが起動されていない状態でＥＣ／ＫＢＣ１１６から設定されている信号が出力された場合に、電源コントローラ１２５に駆動電力への供給と非供給との間の切り替えを指示するＥＣ／ＫＢＣ１１６と、を具備することを特徴とする。【選択図】    図２
2011118462.tif 000002
【特許請求の範囲】
【請求項１】
外部機器と通信を行うコントローラと、
システムが起動されていない状態で前記外部機器からの要求があった場合にシステムを起動する起動手段と、
前記コントローラを駆動するための駆動電力を生成し、当該駆動電力を前記コントローラに供給する電源と、
入力装置のユーザの操作に応じた信号を出力する入力コントローラと、
前記システムが起動されていない状態で前記入力コントローラから設定されている信号が出力された場合に、前記電源に前記駆動電力への供給と非供給との間の切り替えを指示する指示手段と、
を具備することを特徴とする情報処理装置。
【請求項２】
前記コントローラは、ＨＤＭＩ−ＣＥＣ通信、ＵＳＢ通信、ネットワーク通信の何れかを行うことを特徴とする請求項１に記載の情報処理装置。
【請求項３】
前記指示手段が切り替えを指示した場合に、切り替えたことをユーザに通知する通知手段を更に具備することを特徴とする請求項１に記載の情報処理装置。
【請求項４】
前記通知手段は、前記供給から前記非供給に切り替えた場合と前記非供給から前記供給に切り替え場合とを区別して通知することを特徴とする請求項３に記載の情報処理装置。
【請求項５】
前記通知手段は、発光素子であることを特徴とする請求項３または請求項４の何れか１項に記載の情報処理装置。
【請求項６】
前記電源はＡＣ−ＤＣアダプタから供給される第１直流電力またはバッテリから供給される第２直流電力から前記駆動電力を生成することを特徴とする請求項１に記載の情報処理装置。
【請求項７】
前記指示手段は、前記電源が前記第１直流電力から前記駆動電力を生成している状態で前記入力コントローラから前記設定されている信号が出力された場合、前記指示手段は、前記供給と前記非供給との間の切り替えを指示しないことを特徴とする請求項６に記載の情報処理装置。
【請求項８】
前記指示手段は、前記システムが起動される場合に、前記電源に前記駆動電力の供給に切り替えることを指示することを特徴とする請求項１に記載の情報処理装置。
【請求項９】
前記入力装置は、キーボードであることを特徴とする請求項１に記載の情報処理装置。
【発明の詳細な説明】
【技術分野】
【０００１】
本発明は、外部機器からの要求に応じてシステムが起動する情報処理装置に関する。
【背景技術】
【０００２】
コンピュータには、外部機器からの要求に応じて電源オフ状態から起動（WakeUp）するための機能（ＬＡＮ、ＵＳＢ、ＨＤＭＩ−ＣＥＣ等）がある（例えば、特許文献１）。
【先行技術文献】
【特許文献】
【０００３】
【特許文献１】特開２００１−０９２５６５号公報
【発明の概要】
【発明が解決しようとする課題】
【０００４】
外部機器からの要求に応じて起動するためには、電源オフ中でも外部機器と通信を行うコントローラに駆動電力を供給する必要があり待機電力が増加する。ＢＩＯＳ等で外部機器からの要求に応じて起動を許可するかどうかのEnable／Disable設定がある。それらの設定をするためには一度、コンピュータを起動して設定を変更する必要があった。
【０００５】
本発明の目的は、システムが起動されていなくても外部機器と通信を行うコントローラに駆動電力の供給／非供給を切り替えることが可能な情報処理装置を提供することにある。
【課題を解決するための手段】
【０００６】
本発明の一例に係わる情報処理装置は、外部機器と通信を行うコントローラと、システムが起動されていない状態で前記外部機器からの要求があった場合に前記システムを起動する起動手段と、前記コントローラを駆動するための駆動電力を生成し、当該駆動電力を前記コントローラに供給する電源と、入力装置のユーザの操作に応じた信号を出力する入力コントローラと、前記システムが起動されていない状態で前記入力コントローラから設定されている信号が出力された場合に、前記電源に前記駆動電力への供給と非供給との間の切り替えを指示する指示手段と、を具備することを特徴とする。
【発明の効果】
【０００７】
本発明によれば、システムが起動されていなくても外部機器と通信を行うコントローラに駆動電力の供給／非供給を切り替えることが可能にある。
【図面の簡単な説明】
【０００８】
【図１】本発明の一実施形態に係わる情報処理装置の外観を示す斜視図。
【図２】図１に示す情報処理装置のシステム構成を示すブロック図。
【図３】ＨＤＭＩ−ＣＥＣコントローラへの駆動電力の供給と非供給を切り替えるキーおよび入力規則、切り替えた場合のＬＥＤ表示状態を示す図。
【図４】ＬＡＮコントローラへの駆動電力の供給と非供給を切り替えるキーおよび入力規則、切り替えた場合のＬＥＤ表示状態を示す図。
【図５】ＵＳＢコントローラへの駆動電力の供給と非供給を切り替えるキーおよび入力規則、切り替えた場合のＬＥＤ表示状態を示す図。
【発明を実施するための形態】
【０００９】
本発明の実施の形態を以下に図面を参照して説明する。
【００１０】
まず、図１および図２を参照して、本発明の一実施形態に係る再生装置の構成を説明する。本実施形態の再生装置は、例えば、情報処理装置として機能するノートブック型の携帯型パーソナルコンピュータ１０から実現されている。
【００１１】
このパーソナルコンピュータ１０は、放送番組データ、外部機器から入力されるビデオデータといった、映像コンテンツデータ（オーディオビジュアルコンテンツデータ）を記録および再生することができる。即ち、パーソナルコンピュータ１０は、テレビジョン放送信号によって放送される放送番組データの視聴および録画を実行するためのテレビジョン（ＴＶ）機能を有している。このＴＶ機能は、例えば、パーソナルコンピュータ１０に予めインストールされているＴＶアプリケーションプログラムによって実現されている。また、ＴＶ機能は、外部のＡＶ機器から入力されるビデオデータを記録する機能、および記録されたビデオデータおよび記録された放送番組データを再生する機能も有している。
【００１２】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１３】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。パワーボタン１４の内部には、システムの起動状態を示す発光素子として緑色ＬＥＤおよび橙色ＬＥＤが埋め込まれている。パワーボタン１４の表面の一部は透過部材で構成され、緑色ＬＥＤまたは橙色ＬＥＤの発光を視認することが可能である。
【００１４】
入力操作パネル１５は、押されたボタンに対応するイベントを入力する入力装置であり、複数の機能をそれぞれ起動するための複数のボタンを備えている。
【００１５】
コンピュータ本体１１の例えば背面には、例えばＨＤＭＩ(high-definition multimedia interface)規格に対応した外部ディスプレイ接続用レセプタクルが設けられている。この外部ディスプレイ接続用レセプタクルは、放送番組データのような映像コンテンツデータに含まれる映像データ（動画像データ）を外部ディスプレイに出力するために用いられる。
【００１６】
また、コンピュータ本体１１の例えば背面には、１００ＢＡＳＥ−Ｔ規格に対応したネットワーク用レセプタクルが設けられている。このネットワーク用レセプタクルには、ネットワーク通信用のツイステッドペアケーブルのプラグが挿入され、他のコンピュータとネットワーク通信を行う。
【００１７】
また、コンピュータ本体１１の例えば背面には、ＵＳＢ（Universal Serial Bus）規格に対応したＵＳＢデバイス接続用レセプタクルが設けられている。このネットワーク用レセプタクルには、ＵＳＢケーブルのプラグが挿入され、ＵＳＢデバイスとＵＳＢ通信を行う。
【００１８】
次に、図２を参照して、本コンピュータ１０のシステム構成について説明する。  
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＨＤＭＩトランシーバ３、ＨＤＭＩ−ＣＥＣコントローラ４、ＵＳＢ３．０コントローラ１１５、ＬＡＮコントローラ１１０、ハードディスクドライブ（ＨＤＤ）１１１、ＤＶＤドライブ１１２、およびエンベデッドコントローラ／キーボードコントローラＩＣ（ＥＣ／ＫＢＣ）１１６等を備えている。
【００１９】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）２０１、およびＤＶＤアプリケーションプログラム２０２のような各種アプリケーションプログラムを実行する。ＤＶＤアプリケーションプログラム２０２はＤＶＤドライブ１１２に装填されたＤＶＤを再生するためのソフトウェアである。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００２０】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００２１】
ＧＰＵ１０５は、本コンピュータ１０のディスプレイモニタとして使用されるＬＣＤ１７を制御する表示コントローラである。このＧＰＵ１０５によって生成される表示信号はＬＣＤ１７に送られる。また、ＧＰＵ１０５は、ＨＤＭＩトランシーバ３およびＨＤＭＩレセプタクル２を介して、外部ディスプレイ装置１にデジタル映像信号を送出することもできる。
【００２２】
ＨＤＭＩレセプタクル２は上述の外部ディスプレイ接続用レセプタクルである。ＨＤＭＩレセプタクル２は、非圧縮のデジタル映像信号と、デジタルオーディオ信号とを一本のケーブルでテレビのような外部ディスプレイ装置（シンクデバイス）１に送出することができる。ＨＤＭＩトランシーバ３は、ＨＤＭＩモニタと称される外部ディスプレイ装置１にデジタル映像／音声信号をＨＤＭＩレセプタクル２を介して送出するためのインタフェースである。
【００２３】
また、ＨＤＭＩレセプタクル２は、ＨＤＭＩ規格やベンダで定義された外部ディスプレイ装置１の動作を制御するためのコマンドを外部ディスプレイ装置１へ送出し、外部ディスプレイ装置１からＨＤＭＩ規格やベンダで定義されたコンピュータ１０の動作を制御するためのコマンドを受領することができる。ＨＤＭＩ−ＣＥＣコントローラ４は、外部ディスプレイ装置１を制御するためのコマンドを送信するコントローラである。また、ＨＤＭＩ−ＣＥＣコントローラ４は、外部ディスプレイ装置１から送信されたコマンドに応じて、コンピュータ１０を制御するコントローラである。外部ディスプレイ装置１から送信されたコマンドには、コンピュータ１０を起動するための[Power]コマンドがある。ＨＤＭＩ−ＣＥＣコントローラ４は、[Power]コマンドを受信した場合、ＥＣ／ＫＢＣ１１６に対してウェイクアップ信号を送信する。なお、ＨＤＭＩトランシーバ３とＨＤＭＩ−ＣＥＣコントローラ４とが一つの半導体チップで提供されている場合もある。
【００２４】
ＬＡＮレセプタクル１１０Ａは、上述したネットワーク用レセプタクルである。ＬＡＮコントローラ１１０は、ネットワークに接続されたサーバ１１０Ｂとの通信を実行したり、インターネットなどの外部ネットワークとの通信を実行したりする通信装置である。また、ＬＡＮコントローラは、サーバ１１０Ｂからマジックパケットを受信すると、ＥＣ／ＫＢＣ１１６に対してウェイクアップ信号を送信する。
【００２５】
ＵＳＢレセプタクル１１５Ａは、上述したＵＳＢデバイス接続用レセプタクルである。ＵＳＢ３．０コントローラ１１５は、ハードディスクドライブ等のＵＳＢ３．０規格に対応する外部ＵＳＢデバイス１１５Ｂとの通信を実行する通信装置である。また、
また、ＵＳＢ３．０コントローラ１１５は、外部ＵＳＢデバイス１１５Ｂから起動をコンピュータ１０の起動を指示するためのコマンドを受信すると、ＥＣ／ＫＢＣ１１６に対してウェイクアップ信号を送信する。
【００２６】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１およびＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２７】
サウンドコントローラ１０６は音源デバイスであり、再生対象のオーディオデータをスピーカ１８Ａ，１８ＢまたはＨＤＭＩトランシーバ３に出力する。
【００２８】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。
【００２９】
ＥＣ／ＫＢＣのキーボードコントローラは、スイッチのオン／オフ状態を判別するキースキャン動作により、キーボード１３のどの操作キーが押下されているかを検出し、検出された操作キーに応じた信号を出力する。
【００３０】
また、ＥＣ／ＫＢＣ１１６は、電源コントローラ（ＰＳＣ）１２５と共同してコンピュータ１０の電源状態の管理を行うものであり、このＥＣ／ＫＢＣ１１６と電源コントローラ（ＰＳＣ）１２５にはコンピュータ１０が電源オフされてスリープ状態または停止状態に移行しても動作電源が供給され続ける。ＥＣ／ＫＢＣ１１６は、電源オン／オフ要因の発生の検出に応答して電源コントローラ（ＰＳＣ）１２５を制御する機能などを有する。
【００３１】
また、ＥＣ／ＫＢＣ１１６は、ＨＤＭＩ−ＣＥＣコントローラ４、ＬＡＮコントローラ１１０、ＵＳＢ３．０コントローラ１１５からのウェイクアップ信号の監視を行う機能が設けられている。ＥＣ／ＫＢＣ１１６は、ウェイクアップ信号を受信すると電源コントローラ１２５Ａにシステムを起動するように指示する。
【００３２】
電源コントローラ１２５は、ＡＣ−ＤＣアダプタ１２５Ｂを介して外部電源が供給されている場合、ＡＣ−ＤＣアダプタ１２５Ｂから供給される外部電源を用いてＨＤＭＩ−ＣＥＣコントローラ４、ＬＡＮコントローラ１１０、およびＵＳＢ３．０コントローラ１１５等の本コンピュータ１０の各コンポーネントに供給すべきシステム電源（駆動電力）を生成し、各コンポーネントに供給する。また、ＡＣ−ＤＣアダプタ１２５Ｂを介して外部電源が供給されていない場合、バッテリ１２５Ａを用いてＨＤＭＩ−ＣＥＣコントローラ４、ＬＡＮコントローラ１１０、およびＵＳＢ３．０コントローラ１１５等の本コンピュータ１０の各コンポーネントに供給すべきシステム電源（駆動電力）を生成し、各コンポーネントに供給する。また、電源コントローラ１２５は、ＥＣ／ＫＢＣ１１６からの指示に応じて、各コンポーネントへのシステム電源の供給／非供給を独立に切り替えることができる。
【００３３】
ＥＣ／ＫＢＣ１１６は、システムが起動されていない状態でキーボードの設定されたキーが設定された規則に従って操作された場合に、ＨＤＭＩ−ＣＥＣコントローラ４、ＬＡＮコントローラ１１０、およびＵＳＢ３．０コントローラ１１５の何れかへの駆動電力の供給／非供給を切り替えるための指示を電源コントローラ１２５に与える。
【００３４】
ＥＣ／ＫＢＣ１１６内のキーボードコントローラは、電源オフ状態でキーボードが操作された場合に、操作されたキーに対応する信号をＥＣ／ＫＢＣ１１６内のエンベデッドコントローラに送信する。エンベデッドコントローラは、受信した信号が設定されたキーに対応すると共に、設定された規則に対応する場合に、ＨＤＭＩ−ＣＥＣコントローラ４、ＬＡＮコントローラ１１０、およびＵＳＢ３．０コントローラ１１５の何れかへの駆動電力の供給／非供給を切り替えるための指示を電源コントローラ１２５に与える。
【００３５】
レジスタ１３１には、ＨＤＭＩ−ＣＥＣコントローラ４、ＬＡＮコントローラ１１０、およびＵＳＢ３．０コントローラ１１５への駆動電力の供給／非供給の状態を示す値がそれぞれ書き込まれている。駆動電力が供給されている場合の値は“１（Enable）”であり、駆動電力が供給されていない場合の値は“０（Disenable）”である。例えば、レジスタ１３１に書き込まれているデフォルトの値は“１１１”である。上位から１桁目の値はＨＤＭＩ−ＣＥＣコントローラ４への駆動電力の供給／非供給の状態を示し、上位から２桁目の値はＬＡＮコントローラ１１０への駆動電力の供給／非供給の状態を示し、上位から３桁目の値はＵＳＢ３．０コントローラ１１５への駆動電力の供給／非供給の状態を示している。ＥＣ／ＫＢＣ１１６が、ＨＤＭＩ−ＣＥＣコントローラ４、ＬＡＮコントローラ１１０、およびＵＳＢ３．０コントローラ１１５の何れかへの駆動電力の供給／非供給を切り替えるための指示を電源コントローラ１２５に与えた場合、レジスタ１３１に格納される値を指示に応じて更新する。
【００３６】
また、レジスタ１３２には、電源コントローラ１２５がＡＣ−ＤＣアダプタ１２５Ｂから供給される電力を用いてシステム電源を生成している場合に、供給／非供給の切り替えを無効にするか否かを示す値が記録されている。ＥＣ／ＫＢＣ１１６は、ＡＣ−ＤＣアダプタ１２５Ｂから供給される電力を用いてシステム電源が生成され、レジスタの値が無効を示している場合に、設定されたキーが操作されても駆動電力の供給／非供給を切り替える指示を発行しない。ＥＣ／ＫＢＣ１１６は、ＡＣ−ＤＣアダプタ１２５Ｂから供給される電力を用いてシステム電源が生成され、レジスタの値が有効を示している場合に、設定されたキーが操作されたら駆動電力の供給／非供給を切り替える指示を発行する。
【００３７】
また、レジスタ１３３には、システムの起動時にレジスタ１３１の値をリセットして、“１１１”にするか否かを示す値が書き込まれている。システムの起動時にＥＣ／ＫＢＣ１１６はレジスタ１３３の値を参照し、レジスタ１３１の値がリセットすることを示している場合に、レジスタ１３１の値を“１１１”にしてリセットする。
【００３８】
レジスタ１３２，１３３の値は、例えばＢＩＯＳからユーザが設定することによって、変更することが可能である。
【００３９】
なお、ＥＣ／ＫＢＣ１１６内のエンベデッドコントローラは、切り替えた指示を与えた後に、切り替え後の駆動信号の供給／非供給の状態を緑色ＬＥＤ１４Ａ、橙色ＬＥＤ１４Ｂを発光させることによってユーザに通知する。
【００４０】
次に、システムが起動されていない場合に、ＨＤＭＩ−ＣＥＣコントローラへの駆動電力の供給と非供給を切り替えるキーおよび入力規則、切り替えた場合のＬＥＤ表示状態を図３を参照して説明する。
【００４１】
図３に示すように、キーボードの“Ｈ”キーおよび“Ｎ”キーが操作されることによって電源コントローラから駆動電力がＨＤＭＩ−ＣＥＣコントローラに供給されるようになる。ＨＤＭＩ−ＣＥＣコントローラに駆動電力が供給される場合、緑色ＬＥＤが点灯する。また、キーボードの“Ｈ”キーおよび“Ｆ”キーが操作されることによって電源コントローラから駆動電力がＨＤＭＩ−ＣＥＣコントローラに供給されないようになる。ＨＤＭＩ−ＣＥＣコントローラに駆動電力が供給されない場合、緑色ＬＥＤが点滅する。
【００４２】
システムが起動されていない場合に、ＬＡＮコントローラへの駆動電力の供給と非供給を切り替えるキー、切り替えた場合のＬＥＤ表示状態を図４を参照して説明する。
【００４３】
図４に示すように、キーボードの“Ｌ”キーおよび“Ｎ”キーが操作されることによって電源コントローラから駆動電力がＬＡＮコントローラに供給されるようになる。ＬＡＮコントローラに駆動電力が供給される場合、橙色ＬＥＤが点灯する。また、キーボードの“Ｌ”キーおよび“Ｆ”キーが操作されることによって電源コントローラから駆動電力がＬＡＮコントローラに供給されないようになる。ＬＡＮコントローラに駆動電力が供給されない場合、橙色ＬＥＤが点滅する。
【００４４】
オペレーティングシステムが起動していない場合に、ＵＳＢ３．０コントローラへの駆動電力の供給と非供給を切り替えるキー、切り替えた場合のＬＥＤ表示状態を図５を参照して説明する。
【００４５】
図５に示すように、キーボードの“Ｕ”キーおよび“Ｎ”キーが操作されることによって電源コントローラから駆動電力がＵＳＢ３．０コントローラに供給されるようになる。ＵＳＢ３．０コントローラに駆動電力が供給される場合、緑色ＬＥＤ、橙色ＬＥＤ、および緑色ＬＥＤの順で点灯する。また、キーボードの“Ｕ”キーおよび“Ｆ”キーが操作されることによって電源コントローラから駆動電力がＵＳＢ３．０コントローラに供給されないようになる。ＵＳＢ３．０コントローラに駆動電力が供給されない場合、橙色ＬＥＤ、緑色ＬＥＤ、および橙色ＬＥＤの順で点灯する。
【００４６】
以上説明したように、システムが起動されていなくても外部機器と通信を行うコントローラに駆動電力の供給／非供給を切り替えることが可能になる。
【００４７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００４８】
４…ＨＤＭＩ−ＣＥＣコントローラ，１０…携帯型パーソナルコンピュータ，１３…キーボード，１４Ａ…緑色ＬＥＤ，１４Ｂ…橙色ＬＥＤ，１０１…ＣＰＵ，１１０…ＬＡＮコントローラ，１１５…ＵＳＢ３．０コントローラ，１１６…エンベデッドコントローラ／キーボードコントローラＩＣ，１２５…電源コントローラ，１２５Ｂ…ＡＣ−ＤＣアダプタ，１２５Ａ…バッテリ。
【図１】
2011118462.tif 000003
【図２】
2011118462.tif 000004
【図３】
2011118462.tif 000005
【図４】
2011118462.tif 000006
【図５】
2011118462.tif 000007